(57)【要約】【課題】誰にでも簡単に、かつ、正確に摩耗量をチェックすることができるようにすること。【解決手段】歯科用超音波スケーラや歯科用エアスケーラのハンドピースの先端部に着脱自在に装着されるスケーラ用チップ、電動式骨手術器械のハンドピースの先端部に着脱自在に装着されるチップ、主に歯の根の部分や磨きにくい部分についている歯石を取り除くキュレット等の柄の先端部に着脱自在に装着されるチップ等の摩耗量をチェックする、平板状の部材からなる歯科用チップの摩耗チェッカーであって、正面１１ａには、少なくとも１種類の歯科用チップ１２，１３の側面と、これら歯科用チップ１２，１３の摩耗量の目安となる少なくとも１本の線１４と、が描かれており、正面１１ａの下端部には、横方向に沿って延びるとともに、前記歯科用チップ１２，１３の二面幅を形成する直線と同一線上に位置する少なくとも１本の基準線１５が描かれていることを特徴とする。【選択図】図１
2014023826.tif 000002
【特許請求の範囲】
【請求項１】
歯科用超音波スケーラや歯科用エアスケーラのハンドピースの先端部に着脱自在に装着されるスケーラ用チップ、電動式骨手術器械のハンドピースの先端部に着脱自在に装着されるチップ、主に歯の根の部分や磨きにくい部分についている歯石を取り除くキュレット等の柄の先端部に着脱自在に装着されるチップ等の摩耗量をチェックする、平板状の部材からなる歯科用チップの摩耗チェッカーであって、
正面には、少なくとも１種類の歯科用チップの側面と、この歯科用チップの摩耗量の目安となる少なくとも１本の線と、が描かれており、
正面の下端部には、横方向に沿って延びるとともに、前記歯科用チップの二面幅を形成する直線と同一線上に位置する少なくとも１本の基準線が描かれていることを特徴とする歯科用チップの摩耗チェッカー。
【請求項２】
前記平板状の部材は、名刺大で、かつ、カード状を呈していることを特徴とする請求項１に記載の歯科用チップの摩耗チェッカー。
【請求項３】
正面に、少なくとも１種類の歯科用チップの側面と、この歯科用チップの摩耗量の目安となる少なくとも１本の線と、が描かれ、
正面の下端部に、横方向に沿って延びるとともに、前記歯科用チップの二面幅を形成する直線と同一線上に位置する少なくとも１本の基準線が描かれた、平板状の部材からなる歯科用チップの摩耗チェッカーの使用方法であって、
摩耗量をチェックしたい歯科用チップの取付部の外周面と、前記正面に描かれた前記歯科用チップの取付部の外周面とを合わせる段階と、
摩耗量をチェックしたい歯科用チップの二面幅を形成する直線と、前記正面に描かれた前記基準線とを合わせる段階と、を備えていることを特徴とする歯科用チップの摩耗チェッカーの使用方法。
【発明の詳細な説明】
【技術分野】
【０００１】
本発明は、歯科用超音波スケーラや歯科用エアスケーラのハンドピースの先端部に着脱自在に装着されるスケーラ用チップ（スケーリング用チップ、ルートプレーニング用チップ等）、電動式骨手術器械のハンドピースの先端部に着脱自在に装着されるチップ、主に歯の根の部分や磨きにくい部分についている歯石を取り除くキュレット等の柄の先端部に着脱自在に装着されるチップ等の摩耗量をチェックする歯科用チップの摩耗チェッカーに関するものである。
【背景技術】
【０００２】
歯科用超音波スケーラのハンドピースの先端部に着脱自在に装着されるスケーラ用チップ（スケーラチップ）としては、例えば、特許文献１，２に開示されたものが知られている。
【先行技術文献】
【特許文献】
【０００３】
【特許文献１】特開２００６−１６７３３０号公報
【特許文献２】特開２００３−０３３３７２号公報
【発明の概要】
【発明が解決しようとする課題】
【０００４】
さて、歯科用超音波スケーラや歯科用エアスケーラのハンドピースの先端部に着脱自在に装着されるスケーラ用チップ等は、使用していくうちに先端から徐々に摩耗していく。
そこで、従来、スケーラ用チップの摩耗量をチェックするのに、図８に示すスケーラ用チップの摩耗チェッカー５１が使用されていた。
【０００５】
図８に示すスケーラ用チップの摩耗チェッカー５１は、名刺大で、かつ、カード状を呈しており、その表面５１ａには、５種類のスケーラ用チップ５２〜５６と、スケーラ用チップ５２〜５６それぞれの摩耗量の目安となる３本の線５７〜５９が描かれている。
また、スケーラ用チップの摩耗チェッカー５１の下端部には、スケーラ用チップ（図示せず）に設けられた二面幅の部分を受け入れる切り欠き６０が５つ設けられている。
そして、スケーラ用チップの摩耗量は、摩耗量をチェックしたいスケーラ用チップの二面幅の部分を、対応するスケーラ用チップ５２〜５６の切り欠き６０に挿入して、当該スケーラ用チップの外形が、スケーラ用チップの摩耗チェッカー５１の表面５１ａに描かれた、対応するスケーラ用チップ５２〜５６の外形と合うように載置して、当該スケーラ用チップの摩耗量をチェックしていた。
なお、線５９は線５８よりも摩耗量が多く、線５８は線５７よりも摩耗量が多いことを示している。すなわち、線５７では摩耗量が最も少なく、線５９では摩耗量が最も多いことを示している。
【０００６】
しかしながら、図８に示すスケーラ用チップの摩耗チェッカー５１の切り欠き６０は、スケーラ用チップの二面幅の部分よりも大き目に形成されており、摩耗量をチェックしたいスケーラ用チップの二面幅の部分を、対応するスケーラ用チップ５２〜５６の切り欠き６０に挿入した際、切り欠き６０の中で当該二面幅の部分がガタツクようになっている。
また、摩耗量をチェックしたいスケーラ用チップを、スケーラ用チップの摩耗チェッカー５１の表面５１ａ上において、摩耗量をチェックしたいスケーラ用チップの外形と、対応するスケーラ用チップ５２〜５６の外形と、を正確に合わせなければならないといった煩わしさがあった。
さらに、摩耗量をチェックしたいスケーラ用チップを、スケーラ用チップの摩耗チェッカー５１の表面５１ａ上において、摩耗量をチェックしたいスケーラ用チップの外形と、対応するスケーラ用チップ５２〜５６の外形と、を合わせる際、確認者（作業者）の目線や技量によっては、摩耗量をチェックしたいスケーラ用チップの外形と、対応するスケーラ用チップ５２〜５６の外形とが、正確に合っていないおそれがある。
そのため、図８に示すスケーラ用チップの摩耗チェッカー５１を用いた摩耗量のチェックでは、その作業が煩わしく、また、摩耗量を正確にチェック（把握）できないといった問題点があった。
【０００７】
本発明は、上記の事情に鑑みてなされたもので、誰にでも簡単に、かつ、正確に摩耗量をチェックすることができる歯科用チップの摩耗チェッカーを提供することを目的とする。
【課題を解決するための手段】
【０００８】
本発明は、上記課題を解決するため、以下の手段を採用した。
本発明に係る歯科用チップの摩耗チェッカーは、歯科用超音波スケーラや歯科用エアスケーラのハンドピースの先端部に着脱自在に装着されるスケーラ用チップ、電動式骨手術器械のハンドピースの先端部に着脱自在に装着されるチップ、主に歯の根の部分や磨きにくい部分についている歯石を取り除くキュレット等の柄の先端部に着脱自在に装着されるチップ等の摩耗量をチェックする、平板状の部材からなる歯科用チップの摩耗チェッカーであって、正面には、少なくとも１種類の歯科用チップの側面と、この歯科用チップの摩耗量の目安となる少なくとも１本の線と、が描かれており、正面の下端部には、横方向に沿って延びるとともに、前記歯科用チップの二面幅を形成する直線と同一線上に位置する少なくとも１本の基準線が描かれていることを特徴とする。
【０００９】
本発明に係る歯科用チップの摩耗チェッカーによれば、例えば、摩耗量をチェックしたいスケーラ用チップの取付部（ハンドピースの先端部に取り付けられる部分）の外周面と、正面に描かれた対応するスケーラ用チップの取付部（ハンドピースの先端部に取り付けられる部分）の外周面とが合うようにして、摩耗量をチェックしたいスケーラ用チップを、スケーラ用チップの摩耗チェッカーの正面上に置き、つぎに、摩耗量をチェックしたいスケーラ用チップの二面幅を形成する直線が、正面に描かれた基準線と同一線上に位置するように、すなわち、摩耗量をチェックしたいスケーラ用チップの二面幅を形成する直線と、基準線とが合うように、当該スケーラ用チップを縦方向（例えば、図１において上下方向）に移動させて、摩耗量をチェックしたいスケーラ用チップの先端が、正面に描かれた線よりも外側（例えば、図１においてスケーラ用チップ１２，１３が描かれていない側）に位置しているのか、あるいは正面に描かれた線よりも内側（例えば、図１においてスケーラ用チップ１２，１３が描かれている側）に位置しているのかを見るだけで、誰にでも簡単に、かつ、正確に摩耗量をチェックすることができる。
【００１０】
上記歯科用チップの摩耗チェッカーにおいて、前記平板状の部材は、名刺大で、かつ、カード状を呈しているとさらに好適である。
【００１１】
このような歯科用チップの摩耗チェッカーによれば、ポケット等に入れて気軽に持ち運べることができて、いつでもどこでも歯科用チップの摩耗量をチェックすることができる。
【００１２】
本発明に係る歯科用チップの摩耗チェッカーの使用方法は、正面に、少なくとも１種類の歯科用チップの側面と、この歯科用チップの摩耗量の目安となる少なくとも１本の線と、が描かれ、正面の下端部に、横方向に沿って延びるとともに、前記歯科用チップの二面幅を形成する直線と同一線上に位置する少なくとも１本の基準線が描かれた、平板状の部材からなる歯科用チップの摩耗チェッカーの使用方法であって、摩耗量をチェックしたい歯科用チップの取付部の外周面と、前記正面に描かれた前記歯科用チップの取付部の外周面とを合わせる段階と、摩耗量をチェックしたい歯科用チップの二面幅を形成する直線と、前記正面に描かれた前記基準線とを合わせる段階と、を備えていることを特徴とする。
【００１３】
本発明に係る歯科用チップの摩耗チェッカーの使用方法によれば、例えば、摩耗量をチェックしたいスケーラ用チップの取付部（ハンドピースの先端部に取り付けられる部分）の外周面と、正面に描かれた対応するスケーラ用チップの取付部（ハンドピースの先端部に取り付けられる部分）の外周面とが合うようにして、摩耗量をチェックしたいスケーラ用チップを、スケーラ用チップの摩耗チェッカーの正面上に置き、つぎに、摩耗量をチェックしたいスケーラ用チップの二面幅を形成する直線が、正面に描かれた基準線と同一線上に位置するように、すなわち、摩耗量をチェックしたいスケーラ用チップの二面幅を形成する直線と、基準線とが合うように、当該スケーラ用チップを縦方向（例えば、図１において上下方向）に移動させて、摩耗量をチェックしたいスケーラ用チップの先端が、正面に描かれた線よりも外側（例えば、図１においてスケーラ用チップ１２，１３が描かれていない側）に位置しているのか、あるいは正面に描かれた線よりも内側（例えば、図１においてスケーラ用チップ１２，１３が描かれている側）に位置しているのかを見るだけで、誰にでも簡単に、かつ、正確に摩耗量をチェックすることができる。
【発明の効果】
【００１４】
本発明に係る歯科用チップの摩耗チェッカーによれば、誰にでも簡単に、かつ、正確に摩耗量をチェックすることができるという効果を奏する。
【図面の簡単な説明】
【００１５】
【図１】本発明の第１実施形態に係る歯科用チップの摩耗チェッカーの正面図である。
【図２】本発明の第１実施形態に係る歯科用チップの摩耗チェッカーの平面図（底面図）である。
【図３】本発明の第１実施形態に係る歯科用チップの摩耗チェッカーの左側面図（右側面図）である。
【図４】本発明の第１実施形態に係る歯科用チップの摩耗チェッカーの背面図である。
【図５】本発明の第２実施形態に係る歯科用チップの摩耗チェッカーの正面図である。
【図６】本発明の第３実施形態に係る歯科用チップの摩耗チェッカーの正面図である。
【図７】本発明の第４実施形態に係る歯科用チップの摩耗チェッカーの正面図である。
【図８】従来のスケーラ用チップの摩耗チェッカーの正面図である。
【発明を実施するための形態】
【００１６】
〔第１実施形態〕
以下、本発明の第１実施形態に係る歯科用チップの摩耗チェッカーについて、図１から図４を参照しながら説明する。
図１は本実施形態に係る歯科用チップの摩耗チェッカーの正面図、図２は本実施形態に係る歯科用チップの摩耗チェッカーの平面図（底面図）、図３は本実施形態に係る歯科用チップの摩耗チェッカーの左側面図（右側面図）、図４は本実施形態に係る歯科用チップの摩耗チェッカーの背面図である。
【００１７】
図１から図４の少なくともいずれか一図に示すように、本実施形態に係る歯科用チップの摩耗チェッカー１１は、図示しない歯科用超音波スケーラや歯科用エアスケーラのハンドピースの先端部に着脱自在に装着される歯科用チップの摩耗量をチェック（把握）するものであり、名刺大で、かつ、カード状を呈している。
【００１８】
歯科用チップの摩耗チェッカー１１の表面（正面）１１ａには、２種類のスケーラ用チップ（歯科用チップ）、本実施形態では、「縁下用スリムタイプ」と呼ばれるスケーラ用チップ１２と、「汎用タイプ」と呼ばれるスケーラ用チップ１３が、絵または写真にて精密に描かれている。
また、歯科用チップの摩耗チェッカー１１の表面１１ａには、スケーラ用チップ１２，１３それぞれの摩耗量の目安となる１本の線１４が描かれている。
なお、線１４は、スケーラ用チップ１２，１３が所定量（本実施形態では、１．５ｍｍ）摩耗したときに相当する位置に描かれている。
【００１９】
さらに、歯科用チップの摩耗チェッカー１１の表面１１ａの下端部には、横方向（図１において左右方向）に沿って延びる少なくとも１本（本実施形態では１本）の基準線１５が、スケーラ用チップ１２，１３の二面幅を形成する直線１６と同一線上に位置するようにして描かれている。
【００２０】
スケーラ用チップ１２，１３、線１４、および基準線１５は、例えば、厚み０．２５ｍｍの紙に描かれており、この紙の表面（正面）全体および裏面（背面）全体は、厚み０．０２５ｍｍのラミネートフィルム（図示せず）で覆われている。
【００２１】
つぎに、本実施形態に係る歯科用チップの摩耗チェッカー１１の使用方法について、図１を参照しながら説明する。
まず、摩耗量をチェックしたいスケーラ用チップ（図示せず）の取付部（ハンドピースの先端部に取り付けられる部分）の外周面と、対応するスケーラ用チップ１２，１３の取付部（ハンドピースの先端部に取り付けられる部分）１７の外周面とが合うようにして、摩耗量をチェックしたいスケーラ用チップを、歯科用チップの摩耗チェッカー１１の表面１１ａ上に置く。
【００２２】
つぎに、摩耗量をチェックしたいスケーラ用チップの二面幅を形成する直線が、基準線１５と同一線上に位置するように、すなわち、摩耗量をチェックしたいスケーラ用チップの二面幅を形成する直線と、基準線１５とが合うように、当該スケーラ用チップを縦方向（図１において上下方向）に移動させる。
つづいて、摩耗量をチェックしたいスケーラ用チップの先端が、線１４よりも外側（図１においてスケーラ用チップ１２，１３が描かれていない側）に位置しているのか、あるいは線１４よりも内側（図１においてスケーラ用チップ１２，１３が描かれている側）に位置しているのかを見て、線１４よりも外側に位置している場合には、当該スケーラ用チップは、所定の摩耗量に達していないと判断し、線１４よりも内側に位置している場合には、当該スケーラ用チップは、所定の摩耗量に達しており、交換が必要であると判断する。
【００２３】
本実施形態に係る歯科用チップの摩耗チェッカー１１および本実施形態に係る歯科用チップの摩耗チェッカー１１の使用方法によれば、まず、摩耗量をチェックしたいスケーラ用チップの取付部の外周面と、表面１１ａに描かれた対応するスケーラ用チップの取付部の外周面とが合うようにして、摩耗量をチェックしたいスケーラ用チップを、歯科用チップの摩耗チェッカー１１の表面１１ａ上に置き、つぎに、摩耗量をチェックしたいスケーラ用チップの二面幅を形成する直線が、表面１１ａに描かれた基準線１５と同一線上に位置するように、すなわち、摩耗量をチェックしたいスケーラ用チップの二面幅を形成する直線と、基準線１５とが合うように、当該スケーラ用チップを縦方向（図１において上下方向）に移動させて、摩耗量をチェックしたいスケーラ用チップの先端が、正面に描かれた線よりも外側（図１においてスケーラ用チップ１２，１３が描かれていない側）に位置しているのか、あるいは正面に描かれた線よりも内側（図１においてスケーラ用チップ１２，１３が描かれている側）に位置しているのかを見るだけで、誰にでも簡単に、かつ、正確に摩耗量をチェックすることができる。
【００２４】
また、本実施形態に係る歯科用チップの摩耗チェッカー１１は、名刺大で、かつ、カード状を呈しているので、ポケット等に入れて気軽に持ち運べることができて、いつでもどこでも歯科用チップの摩耗量をチェックすることができる。
【００２５】
〔第２実施形態〕
本発明の第２実施形態に係る歯科用チップの摩耗チェッカーについて、図５を参照しながら説明する。
図５は本実施形態に係る歯科用チップの摩耗チェッカーの正面図である。
なお、本実施形態に係る歯科用チップの摩耗チェッカーの平面図（底面図）は図２と同じ、本実施形態に係る歯科用チップの摩耗チェッカーの左側面図（右側面図）は図３と同じ、本実施形態に係る歯科用チップの摩耗チェッカーの背面図は図４と同じであるので、本実施形態ではこれらの図を省略する。
【００２６】
図５に示すように、本実施形態に係る歯科用チップの摩耗チェッカー２１の表面（正面）２１ａには、６種類のスケーラ用チップ（歯科用チップ）、本実施形態では、「縁下用スリムタイプ」と呼ばれるスケーラ用チップ１２と、「汎用タイプ」と呼ばれるスケーラ用チップ１３と、「キュレットタイプ」と呼ばれるスケーラ用チップ２２と、「メンテナンスタイプ」と呼ばれるスケーラ用チップ２３と、「キュレットタイプＬＭ」と呼ばれるスケーラ用チップ２４と、株式会社ナカニシの「縁上ＳＣタイプ（ナカニシ）」と呼ばれるスケーラ用チップ２５が、絵または写真にて精密に描かれているという点で上述した第１実施形態のものと異なる。その他の構成要素については上述した第１実施形態のものと同じであるので、ここではそれら構成要素についての説明は省略する。
なお、上述した第１実施形態と同一の部材には同一の符号を付している。
【００２７】
つぎに、本実施形態に係る歯科用チップの摩耗チェッカー２１の使用方法について、図５を参照しながら説明する。
まず、摩耗量をチェックしたいスケーラ用チップ（図示せず）の取付部（ハンドピースの先端部に取り付けられる部分）の外周面と、対応するスケーラ用チップ１２，１３，２２〜２５の取付部（ハンドピースの先端部に取り付けられる部分）１７の外周面とが合うようにして、摩耗量をチェックしたいスケーラ用チップを、歯科用チップの摩耗チェッカー２１の表面２１ａ上に置く。
【００２８】
つぎに、摩耗量をチェックしたいスケーラ用チップの二面幅を形成する直線が、基準線１５と同一線上に位置するように、すなわち、摩耗量をチェックしたいスケーラ用チップの二面幅を形成する直線と、基準線１５とが合うように、当該スケーラ用チップを縦方向（図５において上下方向）に移動させる。
つづいて、摩耗量をチェックしたいスケーラ用チップの先端が、線１４よりも外側（図５においてスケーラ用チップ１２，１３，２２〜２５が描かれていない側）に位置しているのか、あるいは線１４よりも内側（図５においてスケーラ用チップ１２，１３，２２〜２５が描かれている側）に位置しているのかを見て、線１４よりも外側に位置している場合には、当該スケーラ用チップは、所定の摩耗量に達していないと判断し、線１４よりも内側に位置している場合には、当該スケーラ用チップは、所定の摩耗量に達しており、交換が必要であると判断する。
【００２９】
本実施形態に係る歯科用チップの摩耗チェッカー２１による作用効果、および本実施形態に係る歯科用チップの摩耗チェッカー２１の使用方法による作用効果は、上述した第１実施形態に係る歯科用チップの摩耗チェッカー１１による作用効果、および本実施形態に係る歯科用チップの摩耗チェッカー１１の使用方法による作用効果と同じであるので、ここではその説明を省略する。
【００３０】
〔第３実施形態〕
本発明の第３実施形態に係る歯科用チップの摩耗チェッカーについて、図６を参照しながら説明する。
図６は本実施形態に係る歯科用チップの摩耗チェッカーの正面図である。
なお、本実施形態に係る歯科用チップの摩耗チェッカーの平面図（底面図）は図２と同じ、本実施形態に係る歯科用チップの摩耗チェッカーの左側面図（右側面図）は図３と同じ、本実施形態に係る歯科用チップの摩耗チェッカーの背面図は図４と同じであるので、本実施形態ではこれらの図を省略する。
【００３１】
図６に示すように、本実施形態に係る歯科用チップの摩耗チェッカー３１の表面（正面）３１ａには、６種類のスケーラ用チップ（歯科用チップ）、本実施形態では、「縁下用スリムタイプ」と呼ばれるスケーラ用チップ１２と、「汎用タイプ」と呼ばれるスケーラ用チップ１３と、「キュレットタイプ」と呼ばれるスケーラ用チップ２２と、「メンテナンスタイプ」と呼ばれるスケーラ用チップ２３と、「キュレットタイプＬＭ」と呼ばれるスケーラ用チップ２４と、株式会社ジーシーのＥＭＳスケーラ用の「縁上ＳＣタイプ（ＥＭＳ）」と呼ばれるスケーラ用チップ３２が、絵または写真にて精密に描かれているという点で上述した第１実施形態のものと異なる。その他の構成要素については上述した第１実施形態のものと同じであるので、ここではそれら構成要素についての説明は省略する。
なお、上述した第１実施形態と同一の部材には同一の符号を付している。
【００３２】
つぎに、本実施形態に係る歯科用チップの摩耗チェッカー２１の使用方法について、図６を参照しながら説明する。
まず、摩耗量をチェックしたいスケーラ用チップ（図示せず）の取付部（ハンドピースの先端部に取り付けられる部分）の外周面と、対応するスケーラ用チップ１２，１３，２２〜２４，３２の取付部（ハンドピースの先端部に取り付けられる部分）１７の外周面とが合うようにして、摩耗量をチェックしたいスケーラ用チップを、歯科用チップの摩耗チェッカー３１の表面３１ａ上に置く。
【００３３】
つぎに、摩耗量をチェックしたいスケーラ用チップの二面幅を形成する直線が、基準線１５と同一線上に位置するように、すなわち、摩耗量をチェックしたいスケーラ用チップの二面幅を形成する直線と、基準線１５とが合うように、当該スケーラ用チップを縦方向（図６において上下方向）に移動させる。
つづいて、摩耗量をチェックしたいスケーラ用チップの先端が、線１４よりも外側（図６においてスケーラ用チップ１２，１３，２２〜２４，３２が描かれていない側）に位置しているのか、あるいは線１４よりも内側（図１においてスケーラ用チップ１２，１３，２２〜２４，３２が描かれている側）に位置しているのかを見て、線１４よりも外側に位置している場合には、当該スケーラ用チップは、所定の摩耗量に達していないと判断し、線１４よりも内側に位置している場合には、当該スケーラ用チップは、所定の摩耗量に達しており、交換が必要であると判断する。
【００３４】
本実施形態に係る歯科用チップの摩耗チェッカー３１による作用効果、および本実施形態に係る歯科用チップの摩耗チェッカー３１の使用方法による作用効果は、上述した第１実施形態に係る歯科用チップの摩耗チェッカー１１による作用効果、および本実施形態に係る歯科用チップの摩耗チェッカー１１の使用方法による作用効果と同じであるので、ここではその説明を省略する。
【００３５】
〔第４実施形態〕
本発明の第４実施形態に係る歯科用チップの摩耗チェッカーについて、図７を参照しながら説明する。
図７は本実施形態に係る歯科用チップの摩耗チェッカーの正面図である。
なお、本実施形態に係る歯科用チップの摩耗チェッカーの平面図（底面図）は図２と同じ、本実施形態に係る歯科用チップの摩耗チェッカーの左側面図（右側面図）は図３と同じ、本実施形態に係る歯科用チップの摩耗チェッカーの背面図は図４と同じであるので、本実施形態ではこれらの図を省略する。
【００３６】
図７に示すように、本実施形態に係る歯科用チップの摩耗チェッカー４１の表面（正面）４１ａには、２種類のスケーラ用チップ（歯科用チップ）、本実施形態では、長田電機工業株式会社のエナック用の「汎用タイプ」と呼ばれるスケーラ用チップ４２と、長田電機工業株式会社のエナック用の「キュレットタイプ」と呼ばれるスケーラ用チップ４３が、絵または写真にて精密に描かれているとともに、スケーラ用チップの摩耗チェッカー４１の表面４１ａ下端部には、横方向（図７において左右方向）に沿って延びる少なくとも１本（本実施形態では２本）の基準線１５Ａ，１５Ｂが、スケーラ用チップ４２，１３の二面幅を形成する直線１６とそれぞれ同一線上に位置するようにして描かれているという点で上述した第１実施形態のものと異なる。その他の構成要素については上述した第１実施形態のものと同じであるので、ここではそれら構成要素についての説明は省略する。
なお、上述した第１実施形態と同一の部材には同一の符号を付している。
【００３７】
つぎに、本実施形態に係る歯科用チップの摩耗チェッカー４１の使用方法について、図７を参照しながら説明する。
まず、摩耗量をチェックしたいスケーラ用チップ（図示せず）の取付部（ハンドピースの先端部に取り付けられる部分）の外周面と、対応するスケーラ用チップ４２，４３の取付部（ハンドピースの先端部に取り付けられる部分）１７の外周面とが合うようにして、摩耗量をチェックしたいスケーラ用チップを、スケーラ用チップの摩耗チェッカー４１の表面４１ａ上に置く。
【００３８】
つぎに、摩耗量をチェックしたいスケーラ用チップの二面幅を形成する直線が、基準線１５Ａ，１５Ｂと同一線上に位置するように、すなわち、摩耗量をチェックしたいスケーラ用チップの二面幅を形成する直線と、基準線１５Ａ，１５Ｂとが合うように、当該スケーラ用チップを縦方向（図７において上下方向）に移動させる。
つづいて、摩耗量をチェックしたいスケーラ用チップの先端が、線１４よりも外側（図７においてスケーラ用チップ４２，４３が描かれていない側）に位置しているのか、あるいは線１４よりも内側（図７においてスケーラ用チップ４２，４３が描かれている側）に位置しているのかを見て、線１４よりも外側に位置している場合には、当該スケーラ用チップは、所定の摩耗量に達していないと判断し、線１４よりも内側に位置している場合には、当該スケーラ用チップは、所定の摩耗量に達しており、交換が必要であると判断する。
【００３９】
本実施形態に係る歯科用チップの摩耗チェッカー４１による作用効果、および本実施形態に係る歯科用チップの摩耗チェッカー４１の使用方法による作用効果は、上述した第１実施形態に係る歯科用チップの摩耗チェッカー１１による作用効果、および本実施形態に係る歯科用チップの摩耗チェッカー１１の使用方法による作用効果と同じであるので、ここではその説明を省略する。
【００４０】
なお、本発明は上述した実施形態に限定されるものではなく、本発明の要旨を逸脱しない範囲内において適宜変更することができる。
例えば、上述した実施形態では、名刺大で、かつ、カード状を呈したものをとりあえずの具体例として挙げて説明したが、本発明はこれに限定されるものではなく、名刺大よりも小さくても大きくてもよく、また、カード状を呈していなくても（薄い）平板状の部材であればいかなるものであってもよい。
また、上述した実施形態では、平面視矩形状を呈したものをとりあえずの具体例として挙げて説明したが、本発明はこれに限定されるものではなく、円形状、楕円形状、三角形状、五角形状以上の多角形状等、いかなる形状であってもよい。
【００４１】
さらに、スケーラ用チップ１２，１３，２２〜２５，３２，４２，４３が１．５ｍｍ摩耗したときに相当する位置に線１４が描かれているが、本発明はこれに限定されるものではなく、例えば、１．３ｍｍ、１．４ｍｍ、１．６ｍｍ、１．７ｍｍ、１．８ｍｍ、１．９ｍｍ、２．０ｍｍ等としてもよい。
【００４２】
さらにまた、上述した実施形態では、スケーラ用チップ１２，１３，２２〜２５，３２，４２，４３それぞれの摩耗量の目安となる線１４が１本だけ描かれたものをとりあえずの具体例として挙げて説明したが、本発明はこれに限定されるものではなく、摩耗量の目安となる線を２本以上、例えば、スケーラ用チップ１２，１３，２２〜２５，３２，４２，４３が１．５ｍｍおよび２．０ｍｍ摩耗したときに相当する位置に描くようにしてもよい。
【００４３】
さらにまた、上述した実施形態では、まず、摩耗量をチェックしたいスケーラ用チップの取付部の外周面と、対応するスケーラ用チップ１２，１３，２２〜２５，３２，４２，４３の取付部１７の外周面とが合うようにして、摩耗量をチェックしたいスケーラ用チップを、歯科用チップの摩耗チェッカー１１，２１，３１，４１の表面１１ａ，２１ａ，３１ａ，４１ａ上に置き、つぎに、摩耗量をチェックしたいスケーラ用チップの二面幅を形成する直線が、基準線１５，１５Ａ，１５Ｂと同一線上に位置するように、すなわち、摩耗量をチェックしたいスケーラ用チップの二面幅を形成する直線と、基準線１５，１５Ａ，１５Ｂとが合うように、当該スケーラ用チップを縦方向に移動させるようにした。
しかし、本発明は、これに限定されるものではなく、まず、摩耗量をチェックしたいスケーラ用チップの二面幅を形成する直線が、基準線１５，１５Ａ，１５Ｂと同一線上に位置するように、すなわち、摩耗量をチェックしたいスケーラ用チップの二面幅を形成する直線と、基準線１５，１５Ａ，１５Ｂとが合うようにして、摩耗量をチェックしたいスケーラ用チップを、歯科用チップの摩耗チェッカー１１，２１，３１，４１の表面１１ａ，２１ａ，３１ａ，４１ａ上に置き、つぎに、摩耗量をチェックしたいスケーラ用チップの取付部の外周面と、対応するスケーラ用チップ１２，１３，２２〜２５，３２，４２，４３の取付部１７の外周面とが合うように当該スケーラ用チップを横方向に移動させるようにしてもよい。
【００４４】
さらにまた、上述した実施形態では、「縁下用スリムタイプ」と呼ばれるスケーラ用チップ１２、「汎用タイプ」と呼ばれるスケーラ用チップ１３、「キュレットタイプ」と呼ばれるスケーラ用チップ２２、「メンテナンスタイプ」と呼ばれるスケーラ用チップ２３、「キュレットタイプＬＭ」と呼ばれるスケーラ用チップ２４、株式会社ナカニシの「縁上ＳＣタイプ（ナカニシ）」と呼ばれるスケーラ用チップ２５、株式会社ジーシーのＥＭＳスケーラ用の「縁上ＳＣタイプ（ＥＭＳ）」と呼ばれるスケーラ用チップ３２、長田電機工業株式会社のエナック用の「汎用タイプ」と呼ばれるスケーラ用チップ４２、長田電機工業株式会社のエナック用の「キュレットタイプ」と呼ばれるスケーラ用チップ４３が、歯科用チップの摩耗チェッカー１１，２１，３１，４１の表面１１ａ，２１ａ，３１ａ，４１ａに描かれたものをとりあえずの具体例として挙げて説明したが、本発明はこれに限定されるものではなく、歯科用超音波スケーラや歯科用エアスケーラのハンドピースの先端部に着脱自在に装着されるスケーラ用チップ、電動式骨手術器械のハンドピースの先端部に着脱自在に装着されるチップ、主に歯の根の部分や磨きにくい部分についている歯石を取り除くキュレット等の柄の先端部に着脱自在に装着されるチップ等の歯科用チップであれば、どのようなものであってもよい。
【００４５】
さらにまた、上述した実施形態では、「縁下用スリムタイプ」と呼ばれるスケーラ用チップ１２、「汎用タイプ」と呼ばれるスケーラ用チップ１３、「キュレットタイプ」と呼ばれるスケーラ用チップ２２、「メンテナンスタイプ」と呼ばれるスケーラ用チップ２３、「キュレットタイプＬＭ」と呼ばれるスケーラ用チップ２４、株式会社ナカニシの「縁上ＳＣタイプ（ナカニシ）」と呼ばれるスケーラ用チップ２５、株式会社ジーシーのＥＭＳスケーラ用の「縁上ＳＣタイプ（ＥＭＳ）」と呼ばれるスケーラ用チップ３２、長田電機工業株式会社のエナック用の「汎用タイプ」と呼ばれるスケーラ用チップ４２、長田電機工業株式会社のエナック用の「キュレットタイプ」と呼ばれるスケーラ用チップ４３、線１４、基準線１５，１５Ａ，１５Ｂを、厚み０．２５ｍｍの紙に描き、この紙の表面（正面）全体および裏面（背面）全体を、厚み０．０２５ｍｍのラミネートフィルムで覆うようにしたものをとりあえずの具体例として挙げて説明したが、本発明はこれに限定されるものではなく、名刺大で、かつ、カード状を呈するプラスチック製の平板の表面に描くようにしてもよい。
【符号の説明】
【００４６】
１１    歯科用チップの摩耗チェッカー
１１ａ  表面（正面）
１２    スケーラ用チップ（歯科用チップ）
１３    スケーラ用チップ（歯科用チップ）
１４    線
１５    基準線
１５Ａ  基準線
１５Ｂ  基準線
２１    歯科用チップの摩耗チェッカー
２１ａ  表面（正面）
２２    スケーラ用チップ（歯科用チップ）
２３    スケーラ用チップ（歯科用チップ）
２４    スケーラ用チップ（歯科用チップ）
２５    スケーラ用チップ（歯科用チップ）
３１    歯科用チップの摩耗チェッカー
３１ａ  表面（正面）
３２    スケーラ用チップ（歯科用チップ）
４１    歯科用チップの摩耗チェッカー
４１ａ  表面（正面）
４２    スケーラ用チップ（歯科用チップ）
４３    スケーラ用チップ（歯科用チップ）
【図１】
2014023826.tif 000003
【図２】
2014023826.tif 000004
【図３】
2014023826.tif 000005
【図４】
2014023826.tif 000006
【図５】
2014023826.tif 000007
【図６】
2014023826.tif 000008
【図７】
2014023826.tif 000009
【図８】
2014023826.tif 000010
【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
歯科用超音波スケーラや歯科用エアスケーラのハンドピースの先端部に着脱自在に装着されるスケーラ用チップ、電動式骨手術器械のハンドピースの先端部に着脱自在に装着されるチップ、主に歯の根の部分や磨きにくい部分についている歯石を取り除くキュレットの柄の先端部に着脱自在に装着されるチップの摩耗量をチェックする、平板状の部材からなる歯科用チップの摩耗チェッカーであって、
正面には、少なくとも１種類の歯科用チップの側面と、この歯科用チップの摩耗量の目安となる少なくとも１本の線と、が描かれており、
正面の下端部には、横方向に沿って延びるとともに、前記歯科用チップの二面幅を形成する直線と同一線上に位置する少なくとも１本の基準線が描かれていることを特徴とする歯科用チップの摩耗チェッカー。
【請求項２】
前記平板状の部材は、名刺大で、かつ、カード状を呈していることを特徴とする請求項１に記載の歯科用チップの摩耗チェッカー。
【請求項３】
正面に、少なくとも１種類の歯科用チップの側面と、この歯科用チップの摩耗量の目安となる少なくとも１本の線と、が描かれ、
正面の下端部に、横方向に沿って延びるとともに、前記歯科用チップの二面幅を形成する直線と同一線上に位置する少なくとも１本の基準線が描かれた、平板状の部材からなる歯科用チップの摩耗チェッカーの使用方法であって、
摩耗量をチェックしたい歯科用チップの取付部の外周面と、前記正面に描かれた前記歯科用チップの取付部の外周面とを合わせる段階と、
摩耗量をチェックしたい歯科用チップの二面幅を形成する直線と、前記正面に描かれた前記基準線とを合わせる段階と、を備えていることを特徴とする歯科用チップの摩耗チェッカーの使用方法。
【手続補正２】
【補正対象書類名】明細書
【補正対象項目名】０００８
【補正方法】変更
【補正の内容】
【０００８】
本発明は、上記課題を解決するため、以下の手段を採用した。
本発明に係る歯科用チップの摩耗チェッカーは、歯科用超音波スケーラや歯科用エアスケーラのハンドピースの先端部に着脱自在に装着されるスケーラ用チップ、電動式骨手術器械のハンドピースの先端部に着脱自在に装着されるチップ、主に歯の根の部分や磨きにくい部分についている歯石を取り除くキュレットの柄の先端部に着脱自在に装着されるチップの摩耗量をチェックする、平板状の部材からなる歯科用チップの摩耗チェッカーであって、正面には、少なくとも１種類の歯科用チップの側面と、この歯科用チップの摩耗量の目安となる少なくとも１本の線と、が描かれており、正面の下端部には、横方向に沿って延びるとともに、前記歯科用チップの二面幅を形成する直線と同一線上に位置する少なくとも１本の基準線が描かれていることを特徴とする。